(57)【要約】【課題】安価な構成で、エアーフィルターに付着した塵埃を一方向に効果的に掃き寄せることができる清掃具を提供する。【解決手段】空気調和機２０に内蔵されたエアーフィルター２１に摺接して、エアーフィルター２１の塵埃を除去するブラシ体１６と、ブラシ体１６を、エアーフィルター２１の表面に沿って往復移動させる電動機（図示せず）を備え、ブラシ体１６の中心線とブラシ体１６の移動方向側のエアーフィルター２１の表面とがなす角度を、ブラシ体１６の移動時の往路と復路とで異ならせたもので、例えば、往路の際に、同角度を略９０度とすれば、エアーフィルター２１の塵埃を効果的に移動方向側に掃き寄せられ、復路の際に、その角度を９０度より小さくすれば、ブラシ体１６はエアーフィルター２１の表面を撫でるだけで、エアーフィルター２１の表面に残った塵埃を反対方向に掃き寄せることが無い。【選択図】図１
2008173616.tif 000002
【特許請求の範囲】
【請求項１】
空気調和機に内蔵されたエアーフィルターに摺接して、前記エアーフィルターに付着した塵埃を除去するブラシ体と、前記ブラシ体を、前記エアーフィルターの表面に沿って往復移動させる移動手段を備え、前記ブラシ体の中心線と前記エアーフィルターの表面とがなす角度を、前記ブラシ体の移動時の往路と復路とで異ならせたことを特徴とする清掃具。
【請求項２】
往路時のブラシ体の中心線とエアーフィルターの表面とがなす角度を略９０度とすると共に、前記ブラシ体を、往路時の移動方向側に揺動自在に設けた請求項１に記載の清掃具。
【請求項３】
移動手段は、ブラシ体をエアーフィルターの表面に沿って上下に往復移動させると共に、前記ブラシ体が下方に移動するときの、前記ブラシ体の中心線と移動方向側の前記エアーフィルターの表面とがなす角度を略９０度とし、前記ブラシ体が上方に移動するときの、前記ブラシ体の中心線と移動方向側の前記エアーフィルターの表面とがなす角度を９０度より小さくしたことを特徴とする請求項１又は２に記載の清掃具。
【請求項４】
ブラシ体で除去され落下する塵埃を受けるダストケースを、エアーフィルターの下端の下方に設けた請求項３に記載の清掃具。
【請求項５】
空気調和機に内蔵されたエアーフィルターに付着した塵埃を除去するブラシ体と、前記ブラシ体を、前記エアーフィルターの表面に沿って往復移動させる移動手段を備え、前記ブラシ体を一方向に移動させるときに、前記ブラシ体を前記エアーフィルターに摺接させ、前記ブラシ体を反対方向に移動させるときに前記ブラシ体を前記エアーフィルターより離反させることを特徴とする清掃具。
【請求項６】
請求項１〜５のいずれか1項に記載された清掃具と、吸引される室内の空気中に含まれる塵埃を捕獲するエアーフィルターとを備え、前記エアーフィルターを、前記清掃具で清掃するようにした空気調和機。
【発明の詳細な説明】
【技術分野】
【０００１】
本発明は、空気調和機などに搭載されたエアーフィルターを清掃する清掃具及びそれを用いた空気調和機に関するものである。
【背景技術】
【０００２】
空気調和機には、運転時に、その空気調和機内部に塵埃が侵入するのを防止するためにエアーフィルターが設けられているが、このエアーフィルターに塵埃が堆積してくると空気の通気圧損が増加し、空気の熱交換効率が低下してくるので、定期的に或いは必要に応じてエアーフィルターを清掃する必要がある。ところが、空気調和機は、壁の天井際や天井など高所に設置されているケースがほとんどで、その空気調和機に搭載されたエアーフィルターを取り外して清掃することは大変面倒であった。これを解決するために、エアーフィルターを空気調和機に搭載した状態で、ブラシをエアフィルターの表面に沿って往復移動させて清掃するようにした清掃具がある（例えば、特許文献１参照）。
【０００３】
図１０は、上記特許文献１に記載された従来の清掃具の斜視図、図１１は、同清掃具を搭載した空気調和機の概略断面図、図１２は、同清掃具の他の取り付け例を示す空気調和機の概略断面図である。
【０００４】
図１０、１１において、従来の清掃具１は、空気調和機２に取り付けられたエアフィルター３の表面に摺接して塵埃を除去するブラシ４と、ブラシ４の両端を支持する一対のレール５と、ブラシ４をレール５上に沿って、ブラシ４の先端をエアフィルター３の表面に摺接させながら上下に移動させる駆動モータ６から構成されている。７は、エアフィルター３の下端近傍、すなわちブラシ４が折り返す付近に下向きに設けられ、ブラシ４に付着した塵埃を除去する櫛である。
【０００５】
ブラシ４は、エアフィルター３の表面に対し、図１１に示すように略直角に、或いは、図１２に示すように、ブラシ４を前下がり状に傾斜させて接触させている。
【０００６】
以上のように構成された従来の清掃具１の動作、作用は、以下の通りである。
【０００７】
初期状態においては、ブラシ４は、図１１に示すようにエアフィルター３の上端に位置している。ここで駆動モータ6に通電すると、ブラシ４が、レール５上に沿って移動し、エアフィルター３に堆積した塵埃をこすり落としながら下側へ移動し、エアフィルター３の下端に達すると、今度は、上側に向かって移動し、初期状態の位置、すなわちエアフィルター３の上端で停止するようになっている。
【０００８】
また、ブラシ４がエアフィルター３の下端に達し折り返す際に、下向きに設けられた櫛で、ブラシ４に付着した塵埃が除去されるようになっている。
【特許文献１】特開２００１−１７０４３０号公報
【発明の開示】
【発明が解決しようとする課題】
【０００９】
しかしながら、上記特許文献1に記載された従来の清掃具の構成によると、特に、ブラシ４が、図１１に示すように、エアフィルター３に略直角に接触している場合は、ブラシ４が下方に移動しながらエアフィルター３に堆積した塵埃をこすり落としていくが、ブラシ４が、エアフィルター３の下端に達し、そこで折り返し、上方に移動する際、ブラシ４のエアフィルター３に対する付勢力が、ブラシ４の移動方向に関係なくほぼ一定なので、エアフィルター３の表面に塵埃が残っているとその塵埃を上方に掃き寄せてしまい、十分な清掃効果が得られないという課題があった。
【００１０】
一方、図１２に示ように、ブラシ４を前下がり状に傾斜させてエアフィルター３に接触させた場合、ブラシ４を、上方に移動させるときは、ブラシ４が傾斜しているので、ブラシ４のエアフィルター３に対する付勢力が弱くなり、ブラシ４がエアフィルター３を撫でるようになるので、エアフィルター３の表面に塵埃が残っていても、それを上方に掃き寄せることは無い。
【００１１】
しかしながら、ブラシ４を、前下がり状に傾斜させているので、ブラシ４を下方に移動させるときには、ブラシ４の先端がエアフィルター３の目に食い込むように作用するので、ブラシ４に加わる抵抗が大幅に大きくなり、駆動モータ６の大型化が余儀なくされていた。またブラシ４の磨耗も早いという課題もあった。
【００１２】
本発明は、上記従来の課題を解決するもので、安価な構成で、エアーフィルターに付着した塵埃を一方向に効果的に掃き寄せることができる、清掃性能に優れた清掃具及び空気調和機を提供することを目的とするものである。
【課題を解決するための手段】
【００１３】
前記従来の課題を解決するために、本発明の清掃具は、空気調和機に内蔵されたエアーフィルターに摺接して、前記エアーフィルターに付着した塵埃を除去するブラシ体と、前記ブラシ体を、前記エアーフィルターの表面に沿って往復移動させる移動手段を備え、前記ブラシ体の中心線と前記エアーフィルターの表面とがなす角度を、前記ブラシ体の移動時の往路と復路とで異ならせたもので、例えば、ブラシ体の中心線とブラシ体の移動方向側のエアーフィルターの表面とがなす角度を、往路の際に、略９０度とし、復路の際に、その角度より小さくすれば、往路のときは、エアーフィルターの塵埃を効果的に移動方向に掃き寄せることができ、また、復路の際は、ブラシ体でエアーフィルターの表面を撫でるだけなので、エアーフィルターの表面に塵埃が残っていても、それを反対方向に掃き寄せることが無く、安価な構成で、清掃性能に優れた清掃具を提供することができる。
【００１４】
また、本発明の清掃具は、空気調和機に内蔵されたエアーフィルターに付着した塵埃を除去するブラシ体と、前記ブラシ体を、前記エアーフィルターの表面に沿って往復移動させる移動手段を備え、前記ブラシ体を一方向に移動させるときに、前記ブラシ体を前記エアーフィルターに摺接させ、前記ブラシ体を反対方向に移動させるときに前記ブラシ体を前記エアーフィルターより離反させるもので、ブラシ体をエアーフィルターに摺接させながら一方向に移動させることにより、エアーフィルターに付着した塵埃を効果的に同方向に掃き寄せることができ、また、反対方向にブラシ体を移動させるときは、ブラシ体がエアーフィルターから離反しているので、エアーフィルターの表面に万が一塵埃が残っていても、それが反対方向に掃き寄せられることが無く、清掃性能に優れた清掃具を提供することができる。
【００１５】
また、本発明の空気調和機は、請求項１〜５のいずれか1項に記載された清掃具と、吸引される室内の空気中に含まれる塵埃を捕獲するエアーフィルターとを備え、前記エアーフィルターを、前記清掃具で清掃するようにしたもので、エアーフィルターを自動で且つ効率よく清掃することができる空気調和機を提供することが出来る。
【発明の効果】
【００１６】
本発明の清掃具及び空気調和機は、安価な構成で、エアーフィルターに付着した塵埃を一方向に効果的に掃き寄せることができる。
【発明を実施するための最良の形態】
【００１７】
第１の発明は、 空気調和機に内蔵されたエアーフィルターに摺接して、前記エアーフィルターに付着した塵埃を除去するブラシ体と、前記ブラシ体を、前記エアーフィルターの表面に沿って往復移動させる移動手段を備え、前記ブラシ体の中心線と前記エアーフィルターの表面とがなす角度を、前記ブラシ体の移動時の往路と復路とで異ならせたもので、例えば、ブラシ体の中心線とブラシ体の移動方向側のエアーフィルターの表面とがなす角度を、往路の際に、略９０度とし、復路の際に、その角度より小さくすれば、往路のときは、エアーフィルターの塵埃を効果的に移動方向に掃き寄せることができ、また、復路の際は、ブラシ体でエアーフィルターの表面を撫でるだけなので、エアーフィルターの表面に塵埃が残っていても、それを反対方向に掃き寄せることが無く、安価な構成で、清掃性能に優れた清掃具を提供することができる。
【００１８】
第２の発明は、特に、第１の発明の往路時のブラシ体の中心線とエアーフィルターの表面とがなす角度を略９０度とすると共に、前記ブラシ体を、往路時の移動方向側に揺動自在に設けたもので、より簡単な構成で、往路の際には、エアーフィルターの塵埃を効果的に移動方向に掃き集め、復路の際には、ブラシ体がエアーフィルターの表面に沿って傾斜するので、エアーフィルターの表面を撫でるだけになり、残った塵埃を反対方向に掃き寄せることが無く、清掃性能に優れた清掃具を提供することができる。
【００１９】
第３の発明は、特に、第１又は第２の発明の移動手段は、ブラシ体をエアーフィルターの表面に沿って上下に往復移動させると共に、前記ブラシ体が下方に移動するときの、前記ブラシ体の中心線と移動方向側の前記エアーフィルターの表面とがなす角度を略９０度とし、前記ブラシ体が上方に移動するときの、前記ブラシ体の中心線と移動方向側の前記エアーフィルターの表面とがなす角度を９０度より小さくしたもので、ブラシ体が下方に移動する往路の際には、エアーフィルターの塵埃を効果的に下方に自然落下させ、復路の際には、ブラシ体がエアーフィルターの表面に対して傾斜し、エアーフィルターの表面を撫でるだけで、塵埃を上方に掃き寄せることが無い、清掃性能に優れた清掃具を提供することができる。
【００２０】
第４の発明は、特に、第３の発明のブラシ体で除去され落下する塵埃を受けるダストケースを、エアーフィルターの下端の下方に設けたもので、ダストケースに塵埃を集めるための特別な機構や、部品が不要なので、安価に構成することができる。
【００２１】
第５の発明は、空気調和機に内蔵されたエアーフィルターに付着した塵埃を除去するブラシ体と、前記ブラシ体を、前記エアーフィルターの表面に沿って往復移動させる移動手段を備え、前記ブラシ体を一方向に移動させるときに、前記ブラシ体を前記エアーフィルターに摺接させ、前記ブラシ体を反対方向に移動させるときに前記ブラシ体を前記エアーフィルターより離反させるもので、ブラシ体をエアーフィルターに摺接させながら一方向に移動させることにより、エアーフィルターに付着した塵埃を効果的に同方向に掃き寄せることができ、また、反対方向にブラシ体を移動させるときは、ブラシ体がエアーフィルターから離反しているので、エアーフィルターの表面に万が一塵埃が残っていても、それが反対方向に掃き寄せられることが無く、清掃性能に優れた清掃具を提供することができる。
【００２２】
第６の発明は、請求項１〜５のいずれか1項に記載された清掃具と、吸引される室内の空気中に含まれる塵埃を捕獲するエアーフィルターとを備え、前記エアーフィルターを、前記清掃具で清掃するようにしたもので、エアーフィルターを自動で且つ効率よく清掃することができる空気調和機を提供することが出来る。
以下、本発明の実施の形態について、図面を参照しながら説明する。なお、この実施の形態によって本発明が限定されるものではない。
（実施例１）
【００２３】
図１は、本発明の第１の実施例における清掃具を搭載した空気調和機の断面図、図２は、同清掃具の斜視図、図３（ａ）同清掃具のブラシ体の斜視図、（ｂ）は、同ブラシ体の側面、図４は、ブラシ体の回転軸とギアとの嵌合構成を示す要部断面図、図５は、同清掃具の側枠と中間部材の嵌合構成を示す要部側面図、図６（ａ）〜（ｄ）は、同ブラシ体の動作を示す図である。
【００２４】
図１〜６において、空気調和機２０の内部には、前部と上部に配された熱交換器２２と、室内の空気を、熱交換器２２を通して吸引し、熱交換器２２で熱交換された空気を吹き出し口２３から室内に吹き出すためのファン２４と、前部及び上部の熱交換器２２を覆うように大きく湾曲して形成され、空気調和機２０内に流入する空気に含まれる塵埃を捕獲するエアーフィルター２１と、このエアーフィルター２１の上流側表面に沿うように配された本実施例における清掃具１０が設けられている。
【００２５】
空気調和機２０の前部及び天井部は、空気取入口２５ａを有するグリル２５で覆われている。３０は、清掃具１０によって除去され落下してくるエアーフィルター２１の塵埃を受けるダストケースで、エアーフィルター２１の下方に着脱自在に設けられている。
【００２６】
３１は、グリル２５の下部に開閉自在に設けられた扉で、ダストケース３０を出し入れする際に開閉するものである。
【００２７】
清掃具１０は、一対の側枠１１と上枠１２と下枠１３からなるフレーム１４と、それぞれの側枠１１に設けられたラックギア１５と、空気調和機２０に内蔵されたエアーフィルター２１に付着した塵埃を除去するブラシ体１６と、電動機１７によって回転駆動されると共に、ラックギア１５の歯１５ａに噛み合う歯１８ａを有し、ブラシ体１６をエアーフィルター２１の表面に沿って移動させるためのギア１８から構成されている。
【００２８】
上記構成により、電動機１７と、ラックギア１５と、ギア１８とで、ブラシ体１６を移動させる移動手段を構成している。
【００２９】
図３において、ブラシ体１６は、両端に回転軸１６ａを有する略帯状の基部１６ｂと、基部１６ｂの下端の長手方向に設けた溝部１６ｃに圧入されたブラシ部材１６ｄから構成されている。また、回転軸１６ａの外周の一部の長手方向にリブ１６ｅが設けられている。
【００３０】
図４において、ブラシ体１６の回転軸１６ａとギア１８とは、中間部材２７を介して嵌合しており、中間部材２７には、中間部材２７に対し回転軸１６ａが所定の角度で回転できるように、回転軸１６ａのリブ１６ｅの移動を所定の範囲で許容する凹溝２７ａが形成されている。
【００３１】
また、中間部材２７は、ギア１８に回転自在に嵌合すると共に、図５に示すように、裏面に、側枠１１の長手方向に設けた長穴１１ａに嵌合する角形の突起２７ｂが設けられ、中間部材２７の回転を規制するようにしている。
【００３２】
なお、本実施例では、ブラシ体１６の回動中心（回転軸１６ａの中心）とエアーフィルター２１の表面との距離Ｌ２（図６参照）を、ブラシ体１６の回動中心（回転軸１６ａの中心）とブラシ部材１６ｄの先端までの距離Ｌ１より小さく設定して（図３参照）、エアーフィルター２１の清掃時に、ブラシ体１６を撓ませながら効果的に塵埃を掃き寄せるようにしている。
【００３３】
以上のように構成された本実施例の清掃具１０及びそれが搭載された空気調和機２０の動作、作用は以下の通りである。
【００３４】
空気調和機２０の運転、例えば冷房運転を開始すると、ファン２４が回転し、室内の空気が、グリル２５に設けた空気取り入れ口２５ａから流入し、エアフィルター２１を通って熱交換器２２に至り、そこで冷却され、冷たい空気が、吹き出し口２３から室内に吹き出される。空気取り入れ口２５ａから吸引される室内の空気に含まれた塵埃は、エアフィルター２１の表面に付着し次第に堆積していく。
【００３５】
エアフィルター２１の表面に塵埃が堆積してくると、空気の通気圧損が増加し、熱交換器２２での熱交換効率が低下してくるので、定期的に或いは、必要に応じて、エアフィルター２１に堆積した塵埃の除去運転が必要となる。
【００３６】
本実施例における清掃具１０によるエアフィルター２１の清掃動作について、図６を用いて説明する。図６は、ブラシ体１６をエアフィルター２１の表面に沿って上下に移動させながら、エアフィルター２１の上部の水平部２１ａ及び垂直部２１ｂ（図１参照）を清掃する際のブラシ体１６の動作を示す図である。
【００３７】
最初に、清掃具１０のブラシ体１６は、図１に示すように、エアフィルター２１の上端に位置させておく。本実施例では、この位置を、清掃具１０の動作開始位置としている。
【００３８】
図示しない運転スイッチを操作すると、電動機１７に通電され、ギア１８が回転駆動し、ギア１８のラックギア１５上での移動に伴い、ブラシ体１６が左方、すなわち下方に向かって移動し、図６（ａ）に示すように、ブラシ体１６のブラシ部材１６ｄでエアフィルター２１の水平部２１ａに付着した塵埃を左方に掃き寄せていく。このときの、ブラシ体１６の中止線とブラシ体１６の移動方向側のエアフィルター２１の表面とがなす角度α１を、本実施例では、略９０度になるように設定している。
【００３９】
そして、ブラシ体１６がエアフィルター２１の湾曲部２１ｃを通ってエアフィルター２１の垂直部２１ｂに至る際に、側枠１１に設けた長穴１１ａもエアフィルター２１の形状に沿って湾曲しているので、図６（ｂ）に示すように、長穴１１ａでガイドされている中間部材２７の突起２７ｂ（図５参照）が、反時計方向に、略９０度回転する。このときブラシ体１６のブラシ部材１６ｄは、エアフィルター２１の表面に押さえつけられ摩擦を受けているので、同様に反時計方向に略９０度回転し、エアフィルター２１の表面に摺接する状態が維持され、この状態で、下方に移動しながら、エアフィルター２１の塵埃を掃いていく。
【００４０】
本実施例では、ブラシ体１６の回転軸１６ａに設けたリブ１６ｅの移動範囲が中間部材２７の凹溝２７ａで規制されているので、ブラシ体１６が反時計方向に９０度より大きな角度まで回転することは無い、すなわち、エアフィルター２１の塵埃を確実に掃き寄せることができる。
【００４１】
そして、ブラシ体１６のブラシ部材１６ｄによって、掃き寄せられ落下する塵埃は、エアフィルター２１の下方に設けたダストケース３０に落下し、そこに堆積していく。
【００４２】
そして、ブラシ体１６がエアフィルター２１の下端に達すると、図示しない制御手段により電動機１７が逆回転して、次のエアフィルター２１の清掃に備え、ブラシ体１６をエアフィルター２１の上端まで移動させる。
【００４３】
ブラシ体１６をエアフィルター２１の上端まで移動させる際、すなわち、ブラシ体１６を上方に移動させる際、ブラシ体１６のブラシ部材１６ｄを、下方に移動させたときと同様の角度でエアフィルター２１に摺接させると、エアフィルター２１の表面に塵埃が残っている場合、それが上方に掃き寄せられることになるが、本実施例では、ブラシ体１６の回転軸１６ａに設けたリブ１６ｅが中間部材２７の凹溝２７ａ内で自由に移動できるようになっているので、エアフィルター２１の垂直部２１ｂを通過するときは、図６（ｄ）に示すようにブラシ体１６が自重で時計方向に回動し、ブラシ部材１６ｄの先端が、エアフィルター２１の表面から離れるので、エアフィルター２１の表面に残った塵埃を上向きに掃くことが無い。
【００４４】
また、ブラシ体１６がさらに上昇し、エアフィルター２１の水平部２１ａを通過するときは、ブラシ体１６が自重で反時計方向に戻ろうとするが、ブラシ体１６の回転軸１６ａに設けたリブ１６ｅが中間部材２７の凹溝２７ａ内で自由に移動できるので、図６（ｃ）に示すように、ブラシ体１６のブラシ部材１６ｄでエアフィルター２１の表面を撫でるような作用をする。これにより、エアフィルター２１の表面に塵埃が残っていてもそれを、右方向に掃き寄せることは無い。
【００４５】
また、ダストケース３０に堆積した塵埃は、グリル２５の下部に開閉自在に設けられた扉３１を開けて、ダストケース３０を引きだして、簡単に破棄することができる。
【００４６】
以上のように、本実施例では、ブラシ体１６が上方に移動するときには、ブラシ体１６の中止線とブラシ体１６の移動方向側のエアフィルター２１の表面とがなす角度α２が９０度より小さくなるように設定している。
【００４７】
以上のように、本実施例における清掃具１０によれば、ブラシ体１６の往路の際、すなわち塵埃を掃き寄せたい方向に移動させるときの、ブラシ体１６の中心線とエアーフィルター２１の表面とがなす角度を略９０度とし、ブラシ体１６の復路の際、すなわちブラシ体１６を元の場所に戻すように移動させるときの、ブラシ体１６の中心線とエアーフィルター２１の表面とがなす角度を９０度より小さくすることで、往路のときは、エアーフィルター２１の表面に付着した塵埃を効果的に移動方向に掃き集めることができ、また、復路の際は、ブラシ体１６でエアーフィルター２１の表面を撫でるだけなので、エアーフィルター２１の表面に塵埃が残っていても、それを反対方向に掃き寄せることが無く、安価な構成で、清掃性能に優れた清掃具を提供することができる。
【００４８】
また、ブラシ体１６の回転軸１６ａに設けたリブ１６ｅが中間部材２７に設けた凹溝２７ａ内で自由に移動できるようにして、ブラシ体１６が往路時の移動方向側に揺動自在にしているので、簡単な構成で、ブラシ体１６の中心線とエアーフィルター２１の表面とがなす角度を、往路と復路とで異ならせることができる。
【００４９】
また、本実施例では、ブラシ体１６を上下方向に移動させるようにしているので、ブラシ体１６が下方に移動する往路の際には、エアーフィルター２１の塵埃を効果的に下方に自然落下させてダストケース３０で回収し、復路の際、ブラシ体１６がエアーフィルター２１の垂直部２１ｂを通るときは、ブラシ体１６のブラシ部材１６ｄがエアーフィルター２１に接触せず、また、ブラシ体１６がエアーフィルター２１の水平２１ａを通るときは、エアーフィルター２１の表面に沿って傾斜し、エアーフィルターの表面を撫でるだけなので、塵埃を反対方向に掃き寄せることが無く、清掃性能に優れた清掃具１０を提供することができる。
【００５０】
また、ブラシ体１６で除去され落下する塵埃を受けるダストケース３０を、エアーフィルター２１の下端の下方に設けたので、ダストケース３０に塵埃を集めるための特別な機構や、部品が不要なので、清掃具１０を安価に構成することができる。
【００５１】
また、ブラシ体１６を、エアーフィルター２１の垂直部２１ｂの表面に沿って上方に移動させる際に、ブラシ体１６のブラシ部材１６ｄがエアーフィルター２１の表面より離反するので、エアーフィルター２１の表面に万が一塵埃が残っていても、それが上方向に掃き上げられることが一切無く、清掃性能に優れた清掃具１０を提供することができる。
（実施例２）
【００５２】
図７は、本発明の第２の実施例における清掃具の斜視図、図８（ａ）は、同清掃具のブラシ体の斜視図、（ｂ）は、同ブラシ体の側面図、図９（ａ）は、同ブラシ体のエアフィルター上部での動作を示す図、（ｂ）は、同ブラシ体のエアフィルター下部での動作を示す図である。なお、上記第１の実施例における清掃具と同一部分については同一符号を付して、その説明を省略する。
【００５３】
上記第１の実施例では、ブラシ体１８が復路時にエアーフィルター２１の垂直部２１ｂを通過する際だけ、ブラシ体１６のブラシ部材１６ｄをエアーフィルター２１の表面から離反させるようにしたが、本実施例は、ブラシ体１８の復路時に、エアーフィルター２１の下端から上端に至るまでの間、ブラシ体１６のブラシ部材１６ｄをエアーフィルター２１の表面から離反させるようにするものである。
【００５４】
図７〜９において、本実施例における清掃具３５の側枠１１の長手方向にブラシ体１６の傾きを規制するガイド３６が設けられ、そのガイド３６の上端には前下がり状の傾斜面３６ａが、下端には、上上がり状の傾斜面３６ｂがそれぞれ設けられている。
【００５５】
また、ブラシ体１６の基部１６ｂの端面には、前記ガイド３６の外周に沿って摺接する規制ピン３７が設けられている。３８は、バネ材などからなり、一端がブラシ体１６の基部１６ｂの側面に、他端が中間部材２７にそれぞれ引っ掛けられ、ブラシ体１６を、図７中のブラシ体１６の右端側から見てみて時計方向に付勢する付勢手段である。
【００５６】
また、ブラシ体１６の回転軸１６ａの中心と規制ピン３７との間の距離Ｌ３は、ブラシ体１６の回転軸１６ａの中心とガイド３６の下面との間の距離Ｌ４と、ほぼ同じになるように設定されている。
【００５７】
以上のように構成された本実施例における清掃具１０の動作を、図９を用いて説明する。  
【００５８】
ブラシ体１６が、エアーフィルター２１の上端より右側にあるとき（Ｉの位置）は、ブラシ体１６は、付勢手段３８により、傾斜し、ブラシ部材１６ｄは、エアーフィルター２１の表面から離れている。そして、電動機１７の駆動によりギア１８が回転し、ブラシ体１６が、下方に向かって、すなわち左方に移動し始めると、ブラシ体１６の規制ピン部３７が、ガイド３６の傾斜面３６ａに当接し、それに沿って摺動しながらガイド３６の下面に向かって移動するにつれ、ブラシ体１６が次第に立ち上がり（イ→ウの位置）、ウの位置では、ブラシ体１６の中心線と移動方向側のエアーフィルター２１の表面とがなす角度α３がほぼ直角になる。この状態が、ブラシ体１６がエアーフィルター２１の下端に達するまで維持され、その間に塵埃が効率よく下方に掃き寄せられ、ダストケース３０内に落下していく。
【００５９】
そして、図９（ｂ）に示すように、ブラシ体１６がエアーフィルター２１の下端に達し、規制ピン３７が、ガイド３６の端部から外れると（エの位置）、付勢手段３８の付勢力で、ブラシ体１６が、時計方向に回転し、ブラシ部材１６ｄがエアーフィルター２１の表面から離れる。
【００６０】
そして、電動機１７を逆転させて、ブラシ体１６を逆方向に、すなわち上方に移動させると、今度は、規制ピン３８は、ガイド３６の傾斜面３６ｂに当たって、斜め上方にガイドされ、ブラシ体１６が斜めになった状態（オの位置）で、すなわち、エアーフィルター２１の表面から離れた状態で、ガイド３６の上端面上を摺動しながら、エアーフィルター２１の上端に向かって移動していく。
【００６１】
以上のように、本実施例によれば、ブラシ体１６が、エアーフィルター２１の表面に沿って下方に移動する際は、ブラシ体１６のブラシ部材１６で、エアーフィルター２１の表面に付着した塵埃を下方に掃き寄せると共に、ブラシ体１６をエアーフィルター２１の表面に沿って上方に移動させる際には、ブラシ体１６のブラシ部材１６ｄがエアーフィルター２１の表面より離反しているので、エアーフィルター２１の表面に万が一塵埃が残っていても、それが上方向に掃き上げられることが無く、清掃性能に優れた清掃具３５を提供することができる。
【産業上の利用可能性】
【００６２】
以上のように、本発明にかかる清掃具及び空気調和機は、安価な構成で、エアーフィルターに付着した塵埃を一方向に効果的に掃き寄せることができるもので、家庭用、業務用の各種空気調和機は勿論、空気清浄機、換気装置などエアフィルターを有する各種機器に適用できるものである。
【図面の簡単な説明】
【００６３】
【図１】本発明の第１の実施例における清掃具を搭載した空気調和機の断面図
【図２】同清掃具の斜視図
【図３】（ａ）同清掃具のブラシ体の斜視図、（ｂ）同ブラシ体の側面図
【図４】ブラシ体の回転軸とギアとの嵌合構成を示す要部断面図
【図５】同清掃具の側枠と中間部材の嵌合構成を示す要部側面図
【図６】（ａ）〜（ｄ）同ブラシ体の動作を示す図
【図７】本発明の第２の実施例における清掃具の斜視図
【図８】（ａ）同清掃具のブラシ体の斜視図、（ｂ）同ブラシ体の側面図
【図９】（ａ）同ブラシ体のエアフィルター上部での動作を示す図、（ｂ）同ブラシ体のエアフィルター下部での動作を示す図、
【図１０】従来の清掃具の斜視図
【図１１】同清掃具を搭載した空気調和機の概略断面図
【図１２】同清掃具の他の取り付け例を示す空気調和機の概略断面図
【符号の説明】
【００６４】
１０、３５  清掃具
１５  ラックギア（移動手段）
１６  ブラシ体
１７  電動機（移動手段）  
１８  ギア（移動手段）
２０  空気調和機
２１  エアフィルター
３０  ダストケース
【図１】
2008173616.tif 000003
【図２】
2008173616.tif 000004
【図３】
2008173616.tif 000005
【図４】
2008173616.tif 000006
【図５】
2008173616.tif 000007
【図６】
2008173616.tif 000008
【図７】
2008173616.tif 000009
【図８】
2008173616.tif 000010
【図９】
2008173616.tif 000011
【図１０】
2008173616.tif 000012
【図１１】
2008173616.tif 000013
【図１２】
2008173616.tif 000014